【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
図柄を変動させて行う図柄変動ゲームで予め定めた大当り表示結果が表示された場合に、遊技者に有利となる大当り遊技が付与される遊技機において、
前記図柄変動ゲームが大当りとなるか否かを判定する大当り判定手段と、
前記大当り判定手段の判定結果が肯定の場合、前記大当り遊技を付与する大当り遊技付与手段と、
前記大当り判定手段の判定結果が肯定の場合において前記大当り遊技付与手段によって前記大当り遊技が付与されたときには、前記大当り遊技の終了後に、規定回数の図柄変動ゲームを上限として、大当りの当選確率を低確率状態から高確率状態へ変動させる確変状態の制御を行い得る状態制御手段と、
前記状態制御手段によって確変状態の制御が行われる図柄変動ゲームの残り回数としての制御残り回数を特定する制御残り回数特定手段と、
前記確変状態の制御が行われる図柄変動ゲームの残り回数についての報知を行わせるための報知残り回数を特定する報知残り回数特定手段と、
前記報知残り回数特定手段によって特定される報知残り回数に関する報知を報知手段に行わせる制御を行う報知制御手段と、を備え、
前記制御残り回数特定手段は、前記大当り判定手段の判定結果が肯定の場合となり、前記大当り遊技付与手段によって前記大当り遊技が付与されることにより、前記制御残り回数を初期化し、
前記報知残り回数特定手段は、前記大当り判定手段の判定結果が肯定となり、前記大当り遊技付与手段によって特定大当り遊技が付与されることにより、前記報知残り回数を継続し、
前記報知制御手段は、前記大当り判定手段の判定結果が肯定の場合において、前記大当り遊技付与手段によって前記特定大当り遊技が付与されたときに、特別条件が成立すると、前記制御残り回数特定手段によって特定される前記制御残り回数と、前記報知残り回数特定手段によって特定される前記報知残り回数との差を上限として、１回の特定大当り遊技に対して複数回に分けて、前記報知残り回数に上乗せ回数を加算する上乗せ報知を前記報知手段に実行可能に制御する遊技機。
【請求項２】
前記報知制御手段は、前記大当り判定手段の判定結果が肯定の場合において、前記大当り遊技付与手段によって前記特定大当り遊技が付与されたときに、前記制御残り回数特定手段によって特定される前記制御残り回数と、前記報知残り回数特定手段によって特定される前記報知残り回数との差が大きいときのほうが小さいときよりも高い確率で、多くの回数に分けて前記上乗せ報知を行う請求項１に記載の遊技機。
【請求項３】
前記報知制御手段は、前記大当り判定手段の判定結果が肯定の場合において、前記大当り遊技付与手段によって前記特定大当り遊技が付与されたときに、前記報知残り回数特定手段によって特定される前記報知残り回数が少ないときのほうが多いときよりも高い確率で前記特別条件が成立する請求項１又は請求項２に記載の遊技機。
【請求項４】
前記報知制御手段は、前記大当り判定手段の判定結果が肯定の場合において、前記大当り遊技付与手段によって前記特定大当り遊技が付与されたときに、前記報知残り回数特定手段によって特定される前記報知残り回数が少ないときのほうが多いときよりも高い確率で、前記制御残り回数特定手段によって特定される前記制御残り回数と、前記報知残り回数特定手段によって特定される前記報知残り回数との差を上乗せ回数として一回で前記報知残り回数に加算する上乗せ報知を前記報知手段に実行可能に制御する請求項１〜請求項３のうち何れか一項に記載の遊技機。
【手続補正２】
【補正対象書類名】明細書
【補正対象項目名】０００７
【補正方法】変更
【補正の内容】
【０００７】
上記問題点を解決する遊技機は、図柄を変動させて行う図柄変動ゲームで予め定めた大当り表示結果が表示された場合に、遊技者に有利となる大当り遊技が付与される遊技機において、前記図柄変動ゲームが大当りとなるか否かを判定する大当り判定手段と、前記大当り判定手段の判定結果が肯定の場合、前記大当り遊技を付与する大当り遊技付与手段と、前記大当り判定手段の判定結果が肯定の場合において前記大当り遊技付与手段によって前記大当り遊技が付与されたときには、前記大当り遊技の終了後に、規定回数の図柄変動ゲームを上限として、大当りの当選確率を低確率状態から高確率状態へ変動させる確変状態の制御を行い得る状態制御手段と、前記状態制御手段によって確変状態の制御が行われる図柄変動ゲームの残り回数としての制御残り回数を特定する制御残り回数特定手段と、前記確変状態の制御が行われる図柄変動ゲームの残り回数についての報知を行わせるための報知残り回数を特定する報知残り回数特定手段と、前記報知残り回数特定手段によって特定される報知残り回数に関する報知を報知手段に行わせる制御を行う報知制御手段と、を備え、前記制御残り回数特定手段は、前記大当り判定手段の判定結果が肯定の場合となり、前記大当り遊技付与手段によって前記大当り遊技が付与されることにより、前記制御残り回数を初期化し、前記報知残り回数特定手段は、前記大当り判定手段の判定結果が肯定となり、前記大当り遊技付与手段によって特定大当り遊技が付与されることにより、前記報知残り回数を継続し、前記報知制御手段は、前記大当り判定手段の判定結果が肯定の場合において、前記大当り遊技付与手段によって前記特定大当り遊技が付与されたときに、特別条件が成立すると、前記制御残り回数特定手段によって特定される前記制御残り回数と、前記報知残り回数特定手段によって特定される前記報知残り回数との差を上限として、１回の特定大当り遊技に対して複数回に分けて、前記報知残り回数に上乗せ回数を加算する上乗せ報知を前記報知手段に実行可能に制御することを要旨とする。
【手続補正３】
【補正対象書類名】明細書
【補正対象項目名】０００８
【補正方法】変更
【補正の内容】
【０００８】
上記遊技機について、前記報知制御手段は、前記大当り判定手段の判定結果が肯定の場合において、前記大当り遊技付与手段によって前記特定大当り遊技が付与されたときに、前記制御残り回数特定手段によって特定される前記制御残り回数と、前記報知残り回数特定手段によって特定される前記報知残り回数との差が大きいときのほうが小さいときよりも高い確率で、多くの回数に分けて前記上乗せ報知を行う構成としてもよい。
【手続補正４】
【補正対象書類名】明細書
【補正対象項目名】０００９
【補正方法】変更
【補正の内容】
【０００９】
上記遊技機について、前記報知制御手段は、前記大当り判定手段の判定結果が肯定の場合において、前記大当り遊技付与手段によって前記特定大当り遊技が付与されたときに、前記報知残り回数特定手段によって特定される前記報知残り回数が少ないときのほうが多いときよりも高い確率で前記特別条件が成立する構成としてもよい。
【手続補正５】
【補正対象書類名】明細書
【補正対象項目名】００１０
【補正方法】変更
【補正の内容】
【００１０】
上記遊技機について、前記報知制御手段は、前記大当り判定手段の判定結果が肯定の場合において、前記大当り遊技付与手段によって前記特定大当り遊技が付与されたときに、前記報知残り回数特定手段によって特定される前記報知残り回数が少ないときのほうが多いときよりも高い確率で、前記制御残り回数特定手段によって特定される前記制御残り回数と、前記報知残り回数特定手段によって特定される前記報知残り回数との差を上乗せ回数として一回で前記報知残り回数に加算する上乗せ報知を前記報知手段に実行可能に制御する構成としてもよい。